(57)【要約】【課題】  ライタを必要とせずに情報の書き込みが可能なＩＣカードを提供する。【解決手段】  ＩＣカード１１のカード本体１２の表面に二つを一組とする複数組の端子１５，１６が設けられており、ペン１９で端子１５，１６間に導電性インク２０を塗布して導通させることで情報を書き込み、その情報をＩＣチップ１３およびアンテナ１４を介して外部の読み取り機に送信する。ペン１９で導電性インク２０を塗布するだけで情報の書き込みができるので、特別のライタが不要になって利便性が大幅に向上する。しかもＩＣカード１１は形状がコンパクトで持ち運びや保管に便利であるだけでなく、机やテーブル上に安定良く載置できるので導電性インク２０の塗布がやり易くなる。また導電性インク２０を塗布した後のカード本体１２の表面に透明の粘着フィルムよりなるシートを貼付することで、導電性インク２０の剥げ落ちや情報の改ざんを防止することができる。【選択図】        図３
2005228239.tif 000002
【特許請求の範囲】
【請求項１】
本体（１２）にＩＣチップ（１３）およびアンテナ（１４）を内蔵し、ＩＣチップ（１３）に記憶された情報をアンテナ（１４）から読み取り機に送信して非接触で読み取り可能な情報記憶送信装置において、
本体（１２）の表面にＩＣチップ（１３）に接続された二つを一組とする端子（１５，１６）を備え、
導電性インク（２０）を前記一組の端子（１５，１６）間に塗布することにより変化する該一組の端子（１５，１６）の導通状態に応じた情報を、ＩＣチップ（１３）およびアンテナ（１４）を介して読み取り機に送信可能なことを特徴とする情報記憶送信装置。
【請求項２】
本体（１２）がカード状に構成されたことを特徴とする、請求項１に記載の情報記憶送信装置。
【請求項３】
導電性インク（２０）を前記一組の端子（１５，１６）間に塗布した後、本体（１２）の表面にシート（２１）を貼付することを特徴とする、請求項１または請求項２に記載の情報記憶送信装置。
【請求項４】
シート（２１）は透明であることを特徴とする、請求項３に記載の情報記憶送信装置。    
【請求項５】
本体（１２）にＩＣチップ（１３）およびアンテナ（１４）を内蔵し、ＩＣチップ（１３）に記憶された情報をアンテナ（１４）から読み取り機に送信して非接触で読み取り可能な情報記憶送信装置において、
本体（１２）の表面に設けられてＩＣチップ（１３）に接続された少なくとも一つの第１端子（３３）と、本体（１２）に回転自在に設けられた回転体（３１）と、回転体（３１）に設けられてＩＣチップ（１３）に接続されるとともに、その回転位置に応じて前記第１端子（３３）に接触して導通可能な第２端子（３５）とを備え、
前記第１端子（３３）および第２端子（３５）の導通状態に応じた情報を、ＩＣチップ（１３）およびアンテナ（１４）を介して読み取り機に送信可能なことを特徴とする情報記憶送信装置。
【請求項６】
本体（１２）がカード状に構成されたことを特徴とする、請求項５に記載の情報記憶送信装置。
【請求項７】
回転体（３１）を所定の位置に回転させた後、本体（１２）の表面および回転体（３１）に跨がるようにシート（２１）を貼付することを特徴とする、請求項５または請求項６に記載の情報記憶送信装置。
【請求項８】
シート（２１）は透明であることを特徴とする、請求項７に記載の情報記憶送信装置。    
【請求項９】
本体（１２）にＩＣチップ（１３）およびアンテナ（１４）を内蔵し、ＩＣチップ（１３）に記憶された情報をアンテナ（１４）から読み取り機に送信して非接触で読み取り可能な情報記憶送信装置において、
本体（１２）の表面に設けられてＩＣチップ（１３）に接続された二つを一組とする第１端子（４１）と、本体（１２）の表面に取付可能な情報記憶部材（４３）と、情報記憶部材（４３）に設けられた情報記憶回路（４５）と、情報記憶部材（４３）に設けられて前記一組の第１側端子（４１）に接触して導通可能な二つを一組とする第２端子（４４）とを備え、
前記第１端子（４１）および第２端子（４４）の導通により、情報記憶回路（４５）に記憶された情報を、ＩＣチップ（１３）およびアンテナ（１４）を介して読み取り機に送信可能なことを特徴とする情報記憶送信装置。
【請求項１０】
本体（１２）がカード状に構成されたことを特徴とする、請求項９に記載の情報記憶送信装置。
【請求項１１】
情報記憶部材（４３）がシール状に構成されたことを特徴とする、請求項９に記載の情報記憶送信装置。
【請求項１２】
情報記憶部材（４３）を本体（１２）に取り付けた後、本体（１２）の表面および情報記憶部材（４３）に跨がるようにシート（２１）を貼付することを特徴とする、請求項９〜請求項１１の何れか１項に記載の情報記憶送信装置。
【請求項１３】
シート（２１）は透明であることを特徴とする、請求項１２に記載の情報記憶送信装置。
【発明の詳細な説明】
【技術分野】
【０００１】
本発明は、本体にＩＣチップおよびアンテナを内蔵し、ＩＣチップに記憶された情報をアンテナから読み取り機に送信して非接触で読み取り可能な情報記憶送信装置に関する。
【背景技術】
【０００２】
非接触式のリーダアンドライタを用いて情報の読み取りおよび書き込みが可能な、ＩＣカードやＩＣタグのような情報記憶送信装置が、下記特許文献１および下記特許文献２により公知である。この種のＩＣカードやＩＣタグは、そのＩＣチップの内部に情報の書き込みおよび読み出しが可能なＲＡＭを備えている。
【特許文献１】特開２００３−８５５０１号公報
【特許文献２】特開２００１−２５１６８７号公報
【発明の開示】
【発明が解決しようとする課題】
【０００３】
ところで、従来のＩＣカードやＩＣタグは情報の書き込みに専用のライタが必要であったため、情報の書き込みを簡便に行えないという問題があった。
【０００４】
本発明は前述の事情に鑑みてなされたもので、ライタを必要とせずに情報の書き込みが可能な情報記録送信装置を提供することを目的とする。
【課題を解決するための手段】
【０００５】
上記目的を達成するために、請求項１に記載された発明によれば、本体にＩＣチップおよびアンテナを内蔵し、ＩＣチップに記憶された情報をアンテナから読み取り機に送信して非接触で読み取り可能な情報記憶送信装置において、本体の表面にＩＣチップに接続された二つを一組とする端子を備え、導電性インクを前記一組の端子間に塗布することにより変化する該一組の端子の導通状態に応じた情報を、ＩＣチップおよびアンテナを介して読み取り機に送信可能なことを特徴とする情報記憶送信装置が提案される。
【０００６】
また請求項２に記載された発明によれば、請求項１の構成に加えて、本体がカード状に構成されたことを特徴とする情報記憶送信装置が提案される。
【０００７】
また請求項３に記載された発明によれば、請求項１または請求項２の構成に加えて、導電性インクを前記一組の端子間に塗布した後、本体の表面にシートを貼付することを特徴とする情報記憶送信装置が提案される。
【０００８】
また請求項４に記載された発明によれば、請求項３の構成に加えて、シートは透明であることを特徴とする情報記憶送信装置が提案される。
【０００９】
また請求項５に記載された発明によれば、本体にＩＣチップおよびアンテナを内蔵し、ＩＣチップに記憶された情報をアンテナから読み取り機に送信して非接触で読み取り可能な情報記憶送信装置において、本体の表面に設けられてＩＣチップに接続された少なくとも一つの第１端子と、本体に回転自在に設けられた回転体と、回転体に設けられてＩＣチップに接続されるとともに、その回転位置に応じて前記第１端子に接触して導通可能な第２端子とを備え、前記第１端子および第２端子の導通状態に応じた情報を、ＩＣチップおよびアンテナを介して読み取り機に送信可能なことを特徴とする情報記憶送信装置が提案される。
【００１０】
また請求項６に記載された発明によれば、請求項５の構成に加えて、本体がカード状に構成されたことを特徴とする情報記憶送信装置が提案される。
【００１１】
また請求項７に記載された発明によれば、請求項５または請求項６の構成に加えて、回転体を所定の位置に回転させた後、本体の表面および回転体に跨がるようにシートを貼付することを特徴とする情報記憶送信装置が提案される。
【００１２】
また請求項８に記載された発明によれば、請求項７の構成に加えて、シートは透明であることを特徴とする情報記憶送信装置が提案される。
【００１３】
また請求項９に記載された発明によれば、本体にＩＣチップおよびアンテナを内蔵し、ＩＣチップに記憶された情報をアンテナから読み取り機に送信して非接触で読み取り可能な情報記憶送信装置において、本体の表面に設けられてＩＣチップに接続された二つを一組とする第１端子と、本体の表面に取付可能な情報記憶部材と、情報記憶部材に設けられた情報記憶回路と、情報記憶部材に設けられて前記一組の第１側端子に接触して導通可能な二つを一組とする第２端子とを備え、前記第１端子および第２端子の導通により、情報記憶回路に記憶された情報を、ＩＣチップおよびアンテナを介して読み取り機に送信可能なことを特徴とする情報記憶送信装置が提案される。
【００１４】
また請求項１０に記載された発明によれば、請求項９の構成に加えて、本体がカード状に構成されたことを特徴とする情報記憶送信装置が提案される。
【００１５】
また請求項１１に記載された発明によれば、請求項９の構成に加えて、情報記憶部材がシール状に構成されたことを特徴とする情報記憶送信装置が提案される。
【００１６】
また請求項１２に記載された発明によれば、請求項９〜請求項１１の何れか１項の構成に加えて、情報記憶部材を本体に取り付けた後、本体の表面および情報記憶部材に跨がるようにシートを貼付することを特徴とする情報記憶送信装置が提案される。
【００１７】
また請求項１３に記載された発明によれば、請求項１２の構成に加えて、シートは透明であることを特徴とする情報記憶送信装置が提案される。
【００１８】
尚、実施例のカード本体１２は本発明の本体に対応し、実施例の情報記憶部材４３は本発明のシールに対応する。
【発明の効果】
【００１９】
請求項１の構成によれば、情報記憶送信装置の本体の表面に設けた二つを一組とする端子間に導電性インクを塗布して導通させると、その導通状態に応じた情報がＩＣチップおよびアンテナを介して読み取り機に送信されるので、特別のライタを必要とせずに情報記憶送信装置への情報の書き込みが可能になって利便性が大幅に向上する。
【００２０】
請求項２の構成によれば、情報記憶送信装置の本体をカード状に構成したので、その形状がコンパクトになって持ち運びや保管に便利であるだけでなく、机やテーブル上に安定良く載置できるので導電性インクの塗布がやり易くなる。
【００２１】
請求項３の構成によれば、導電性インクを塗布した本体の表面にシートを貼付するので、導電性インクの剥げ落ちや改ざんを防止することができる。
【００２２】
請求項４の構成によれば、本体の表面に貼付するシートを透明としたので、導電性インクの塗布状態を目視で確認することができる。
【００２３】
請求項５の構成によれば、情報記憶送信装置の本体の表面に設けた回転体を所定位置に回転させると、本体に設けた第１端子と回転体に設けた第２端子との導通状態が変化し、その導通状態に応じた情報がＩＣチップおよびアンテナを介して読み取り機に送信されるので、特別のライタを必要とせずに情報記憶送信装置への情報の書き込みが可能になって利便性が大幅に向上する。
【００２４】
請求項６の構成によれば、情報記憶送信装置の本体をカード状に構成したので、その形状がコンパクトになって持ち運びや保管に便利であるだけでなく、机やテーブル上に安定良く載置できるので回転体を回転させる操作がやり易くなる。
【００２５】
請求項７の構成によれば、本体の表面と所定の位置に回転させた回転体とに跨がるようにシートを貼付するので、回転体の意図せぬ回転や故意の回転による改ざんを防止することができる。
【００２６】
請求項８の構成によれば、本体の表面および回転体に貼付するシートを透明としたので、回転体の回転位置を目視で確認することができる。
【００２７】
請求項９の構成によれば、情報記憶送信装置の本体の表面に所定の情報記憶部材を取り付けて本体の第１端子と情報記憶部材の第２端子とを導通させると、情報記憶部材の情報記憶回路に記憶された情報がＩＣチップおよびアンテナを介して読み取り機に送信されるので、特別のライタを必要とせずに情報記憶送信装置への情報の書き込みが可能になって利便性が大幅に向上する。
【００２８】
請求項１０の構成によれば、情報記憶送信装置の本体をカード状に構成したので、その形状がコンパクトになって持ち運びや保管に便利であるだけでなく、机やテーブル上に安定良く載置できるので情報記憶部材の取り付けがやり易くなる。
【００２９】
請求項１１の構成によれば、情報記憶部材をシール状に構成したので、それを張り付けるだけで本体部に取り付けることができる。
【００３０】
請求項１２の構成によれば、本体の表面と情報記憶部材とに跨がるようにシートを貼付するので、情報記憶部材の脱落や故意の貼り替えによる改ざんを防止することができる。
【００３１】
請求項１３の構成によれば、本体の表面および情報記憶部材に貼付するシートを透明としたので、情報記憶部材の種類や取付状態を目視で確認することができる。
【発明を実施するための最良の形態】
【００３２】
以下、本発明の実施の形態を、添付の図面に示した本発明の実施例に基づいて説明する。
【００３３】
図１〜図５は本発明の第１実施例を示すもので、図１はＩＣカードの正面図、図２はＩＣカードの表皮を取り除いた状態を示す図、図３はＩＣカードに導電性インクでマーキングした状態を示す図、図４はＩＣカードにシートを貼付した状態を示す図、図６はＩＣカードに書き込んだ情報の例を示す図である。
【００３４】
図１および図２に示すように、ＩＣカード１１は合成樹脂で長方形の板状に形成したカード本体１２を備えており、その内部にＣＰＵ、ＲＯＭ、Ｉ／Ｏ等を含むＩＣチップ１３と、外部の読み取り機（図示せず）との間で無線通信を行うアンテナ１４とが埋め込まれる。ＩＣカード１１の表面には二つで一組の導電性を有する端子１５，１６が、各段に三組ずつ４段に亘って合計１２組設けられており、それら１２組の端子１５…，１６…がカード本体１２に埋め込まれた導線１７…によりＩＣチップ１３に接続される。各組の端子１５，１６の近傍には、それを識別する３種類の数字［１］、［２］、［３］の何れかが印刷され、またカード本体１２の四隅には４個の認証マーク１８…が印刷される。認証マーク１８…は剥げ落ち易いように特殊なインクで印刷されている。
【００３５】
図３に示すように、ＩＣカード１１に情報を記憶させるには導電性インクを塗布するペン１９を使用し、各段の三組の端子１５…，１６…のうち、例えば１段目は中央の［２］に対応する一組の端子１５，１６間にペン１９で導電性インク２０を塗布し、２段目は左側の［１］に対応する一組の端子１５，１６間にペン１９で導電性インク２０を塗布し、３段目は右側の［３］に対応する一組の端子１５，１６間にペン１９で導電性インク２０を塗布し、４段目は中央の［２］に対応する一組の端子１５，１６間にペン１９で導電性インク２０を塗布する。
【００３６】
導電性インク２０の組成は公知であり、例えば特開２００１−４９１７０号公報に開示されている。
【００３７】
続いて、図４に示すように、ＩＣカード１１の本体１２の表面に透明の粘着フィルムよりなるシート２１を貼付する。これにより、塗布された導電性インク２０が擦れて剥げ落ちるのを防止するとともに、導電性インク２０の除去や再塗布による情報の改ざんを防止することができ、しかも透明なシート２１を通して塗布された導電性インク２０が目視可能なので、記憶された情報を容易に確認することができる。特に、一旦貼付したシート２１を剥がすと、シート２１の粘着剤に認証マーク１８…が付着して剥げ落ちるため、情報の改ざんを確実に見破ることができる。尚、シート２１は本体１２の表面の全面に貼付する必要はなく、端子１５…，１６…が覆われる範囲に貼付すれば充分な効果を発揮することができる。
【００３８】
しかして、［１］に対応する一組の端子１５，１６間に導電性インク２０を塗布して電気的に導通させると、その段の三組の端子１５…，１６…の出力が［１，０，０］になることでＩＣチップ１３に［１］の情報が記憶され、［２］に対応する一組の端子１５，１６間に導電性インク２０を塗布して電気的に導通させると、その段の三組の端子１５…，１６…の出力が［０，１，０］になることでＩＣチップ１３に［２］の情報が記憶され、［３］に対応する一組の端子１５，１６間に導電性インク２０を塗布して電気的に導通させると、その段の三組の端子１５…，１６…の出力が［０，０，１］になることでＩＣチップ１３に［３］の情報が記憶されるため、図５（Ａ）の塗布状態では、［２１３２］という情報が書き込まれ、図５（Ｂ）の塗布状態では［１３１３］という情報が書き込まれることになる。
【００３９】
従って、このＩＣカード１１を読み取り機に接近させることで、アンテナ１４を介して無線で通信を行い、導電性インク２０の塗布状態に応じた情報を非接触で読み取ることができる。このように、特別のライタを必要とせずに、ペン１９で導電性インク２０を塗布するだけでＩＣカード１１への情報の書き込みが可能になるため、利便性が大幅に向上する。特に、ＩＣカード１１は薄手であるため、持ち運びや保管に便利であるだけでなく、机やテーブル上に安定良く載置できるのでペン１９による導電性インク２０の塗布がやり易くなる。
【００４０】
このＩＣカード１１を用いれば、同じ特徴を持つものどうしのグルーピング作業が容易になる。例えば、工場で完成した車両の完成検査を行う際に、不良個所に応じて［１］〜［３］の三つの数字よりなる４桁のコード番号を決めておき、その数字を導電性インク２０でマーキングしたＩＣカード１１を車両に取り付けるようにすれば、携帯式のリーダで各々のＩＣカード１１の記憶内容を読み取ることで、同じ不良個所があった車両を容易にグルーピングすることができる。
【００４１】
また家族連れでデパートに出かけるときに、家族の各々のメンバが同じ数字をマーキングしたＩＣカード１１を所持しておけば、分かれて単独行動する各々のメンバが自分の所在位置に最も近い端末の読み取り機に自分のＩＣカード１１の記憶内容を読み込ませておくことで、任意の端末から他のメンバの所在位置を瞬時に知ることができる。
【００４２】
図６および図７は本発明の第２実施例を示すもので、図６はＩＣカードの表皮を取り除いた状態を示す図、図７はＩＣカードに書き込んだ情報の例を示す図である。尚、第２実施例以後の実施例において、それ以前の実施例の部材と対応する部材に該実施例と同じ符号を付すことで、重複する説明を省略する。
【００４３】
図６に示すように、第２実施例のＩＣカード１１は、各々の端子１５に連なる導線１７に情報記憶回路２２を備えており、それらの情報記憶回路２２には予めに異なる情報が記憶される。図７に示す例では、１段目の中央の［２］に対応する一組の端子１５，１６間に導電性インク２０を塗布すると、対応する情報記憶回路２２に記憶された［ＡＢＣＤＥＦＧ］という情報がＩＣチップ１３に記憶され、２段目の左側の［１］に対応する一組の端子１５，１６間に導電性インク２０を塗布すると、対応する情報記憶回路２２に記憶された［ＯＰＱＲＳＴＵ］という情報がＩＣチップ１３に記憶され、３段目の右側の［３］に対応する一組の端子１５，１６間に導電性インク２０を塗布すると、対応する情報記憶回路２２に記憶された［ＸＹＺＡＢＣＤＥ］という情報がＩＣチップ１３に記憶され、４段目の中央の［２］に対応する一組の端子１５，１６間に導電性インク２０を塗布すると、対応する情報記憶回路２２に記憶された［ＦＧＨＩＪＫＬ］という情報がＩＣチップ１３に記憶される。
【００４４】
従って、この第２実施例によれば、第１実施例に比べて複雑な情報を記憶させることが可能になる。
【００４５】
図８〜図１０は本発明の第３実施例を示すもので、図８はＩＣカードの正面図、図９はＩＣカードの表皮を取り除いた状態を示す図、図１０はＩＣカードにシートを貼付した状態を示す図である。
【００４６】
図８および図９に示すように、第３実施例のＩＣカード１１のカード本体１２の表面の中央部に、円板状の回転体３１が支軸３２を介して回転自在に支持される。回転体３１の裏面に対向するカード本体１２の表面に８個の第１端子３３…が設けられており、これらの第１端子３３…はカード本体１２に埋め込まれた導線３４…を介してＩＣチップ１３に接続される。また回転体３１の裏面には前記８個の第１端子３３…の何れかに接触可能な１個の第２端子３５が設けられており、この第２端子３５はカード本体１２に埋め込まれた導線３６を介してＩＣチップ１３に接続される。また回転体３１の表面の第２端子３５に対応する位置には三角形のマーク３７が設けられるとともに、カード本体１２の回転体３１の外周に沿う位置には、８個の第１端子３３…に対応して［１］〜［８］の数字が印刷される。
【００４７】
従って、回転体３１を回転させてマーク３７を例えば数字の［２］の位置に合わせると、回転体３１の第２端子３５が数字の［２］に対応する第１端子３３に接触して電気的に導通する。
【００４８】
続いて、図１０に示すように、ＩＣカード１１のカード本体１２の表面および回転体３１に跨がるように透明の粘着フィルムよりなるシート２１を貼付する。これにより、回転体３１の意図せぬ回転や故意の回転による改ざんを防止することができる。この場合も、透明なシート２１を通して回転体３１の回転位置が目視可能なので、記憶された情報を容易に確認することができ、また一旦貼付したシート２１を剥がすと認証マーク１８…が剥げ落ちることで情報の改ざんを確実に見破ることができる。尚、シート２１はカード本体１２の表面の全面に貼付する必要はなく、カード本体１２の表面の一部と回転体３１の一部とに跨がるように貼付すれば、回転体３１の回転を防止することができる。
【００４９】
しかして、回転体３１のマーク３７を数字の［２］の位置に合わせると、数字の［１］〜［８］に対応する８個の第１端子３３…の出力が［０１００００００］になることで、ＩＣチップ１３に［２］の情報が記憶される。このようにして回転体３１のマーク３７を数字の［１］〜［８］の何れかに対応する位置に合わせることで、ＩＣチップ１３に［１］〜［８］の何れかの情報が書き込まれることになる。
【００５０】
従って、このＩＣカード１１を読み取り機に接近させることで、アンテナ１４を介して無線で通信を行い、回転体３１の回転位置に応じた情報を非接触で読み取ることができる。このように、特別のライタを必要とせずに、回転体３１を回転させるだけでＩＣカード１１への情報の書き込みが可能になるため、利便性が大幅に向上する。特に、ＩＣカード１１は薄手であるため、持ち運びや保管に便利であるだけでなく、机やテーブル上に安定良く載置できるので回転体３１の回転作業がやり易くなる。
【００５１】
図１１および図１２は本発明の第４実施例を示すもので、図１１はＩＣカードの表皮を取り除いた状態を示す図、図１２はＩＣカードに書き込んだ情報の例を示す図である。
【００５２】
図１１に示すように、第４実施例のＩＣカード１１は、各々の第１端子３３に連なる導線３４に情報記憶回路３８を備えており、それらの情報記憶回路３８には予めに異なる情報が記憶される。図１１に示す例では、回転体３１が数字の［２］に対応する位置に回転しているため、対応する情報記憶回路３８に記憶された［ＯＰＱＲＳＴＵ］という情報がＩＣチップ１３に記憶される。
【００５３】
従って、この第４実施例によれば、第３実施例に比べて複雑な情報を記憶させることが可能になる。
【００５４】
図１３〜図１７は本発明の第５実施例を示すもので、図１３はＩＣカードおよびシールの正面図、図１４はＩＣカードおよびシールの表皮を取り除いた状態を示す図、図１５はＩＣカードにシールを貼付した状態を示す図、図１６はＩＣカードにシートを貼付した状態を示す図、図１７はＩＣカードに書き込んだ情報の例を示す図である。
【００５５】
図１３および図１４に示すように、ＩＣカード１１のカード本体１２の表面には左右に離間した一対の第１端子４１，４１が設けられており、これらの第１端子４１，４１はカード本体１２に埋め込まれた導線４２，４２を介してＩＣチップ１３に接続される。一方、粘着剤を有してカード本体１２の表面に貼付可能なシール４３は、その裏面（カード本体１２の表面に対向する面）に露出する一対の第２端子４４，４４を備えており、これらの第２端子４４，４４はシール４３に埋め込まれた情報記憶回路４５に導線４６，４６を介して接続される。情報記憶回路４５には、例えば図１７（Ｂ）に示すような情報が予め記憶されており、その記憶内容が異なる複数のシール４３…が予め用意されている。
【００５６】
しかして、予め用意された複数のシール４３…のうちから、ＩＣカード１１に記憶させたい所定のシール４３を選択し、図１５に示すようにカード本体１２の所定位置に貼付すると、カード本体１２の第１端子４１，４１とシール４３の第２端子４４，４４とが接触して電気的に導通し、情報記憶回路４５に記憶された情報がＩＣチップ１３に記憶される。
【００５７】
従って、このＩＣカード１１を読み取り機に接近させることで、アンテナ１４を介して無線で通信を行い、貼付したシール４３の記憶情報を非接触で読み取ることができる。このように、特別のライタを必要とせずに、シール４３を貼付するだけで種々の情報をＩＣカード１１に書き込むことが可能になるため、利便性が大幅に向上する。特に、ＩＣカード１１は薄手であるため、持ち運びや保管に便利であるだけでなく、机やテーブル上に安定良く載置できるのでシール４３の貼付作業がやり易くなる。
【００５８】
この第５実施例によれば、上述した第１実施例〜第４実施例に比べて大量かつ多種の情報を記憶させることが可能になる。
【００５９】
尚、シール４３の表面に情報記憶回路４５の記憶情報（図１７（Ｂ）参照）を印刷しておけば、多種のシール４３…から所定のシール４３を選択する際に間違いを防ぐことができる。
【００６０】
以上、本発明の実施例を説明したが、本発明はその要旨を逸脱しない範囲で種々の設計変更を行うことが可能である。
【００６１】
例えば、実施例のＩＣカード１１は合成樹脂製であるが、紙等の他の材質を使用することができる。材質に紙を使用した場合には、アンケート用紙、回答用紙、荷札等として有効に利用することができる。
【００６２】
また本発明の情報記憶送信装置は実施例で説明した薄手のＩＣカードに限定されず、厚手のＩＣタグ等を含むものとする。
【図面の簡単な説明】
【００６３】
【図１】第１実施例に係るＩＣカードの正面図
【図２】ＩＣカードの表皮を取り除いた状態を示す図
【図３】ＩＣカードに導電性インクでマーキングした状態を示す図
【図４】ＩＣカードにシートを貼付した状態を示す図
【図５】ＩＣカードに書き込んだ情報の例を示す図
【図６】第２実施例に係るＩＣカードの表皮を取り除いた状態を示す図
【図７】ＩＣカードに書き込んだ情報の例を示す図
【図８】第３実施例に係るＩＣカードの正面図
【図９】ＩＣカードの表皮を取り除いた状態を示す図
【図１０】ＩＣカードにシートを貼付した状態を示す図
【図１１】第４実施例に係るＩＣカードの表皮を取り除いた状態を示す図
【図１２】ＩＣカードに書き込んだ情報の例を示す図
【図１３】第５実施例に係るＩＣカードおよびシールの正面図
【図１４】ＩＣカードおよびシールの表皮を取り除いた状態を示す図
【図１５】ＩＣカードにシールを貼付した状態を示す図
【図１６】ＩＣカードにシートを貼付した状態を示す図
【図１７】ＩＣカードに書き込んだ情報の例を示す図
【符号の説明】
【００６４】
１２        カード本体（本体）
１３        ＩＣチップ
１４        アンテナ
１５        端子
１６        端子
２０        導電性インク
２１        シート
３１        回転体
３３        第１端子
３５        第２端子
４１        第１端子
４３        情報記憶部材（シール）                                              ４４        第２端子
４５        情報記憶回路
【図１】
2005228239.tif 000003
【図２】
2005228239.tif 000004
【図３】
2005228239.tif 000005
【図４】
2005228239.tif 000006
【図５】
2005228239.tif 000007
【図６】
2005228239.tif 000008
【図７】
2005228239.tif 000009
【図８】
2005228239.tif 000010
【図９】
2005228239.tif 000011
【図１０】
2005228239.tif 000012
【図１１】
2005228239.tif 000013
【図１２】
2005228239.tif 000014
【図１３】
2005228239.tif 000015
【図１４】
2005228239.tif 000016
【図１５】
2005228239.tif 000017
【図１６】
2005228239.tif 000018
【図１７】
2005228239.tif 000019